【手続補正書】
【提出日】平成30年10月11日(2018.10.11)
【手続補正１】
【補正対象書類名】明細書
【補正対象項目名】０００５
【補正方法】変更
【補正の内容】
【０００５】
前記の目的を達成するため、本発明の地図表示システムは、表示部に表示された地図上にて指定された目的地を取得する目的地取得部と、目的地が指定された際の地図の位置である開始位置と、出発地から目的地までを接続する移動予定経路の全体が表示可能となる地図の位置である終了位置とを取得する位置取得部と、表示部に表示される地図の位置が開始位置から終了位置まで徐々に移動するように表示部を制御する表示制御部と、を備える。さらに、表示制御部は、目的地が指定された際の地図の縮尺である開始縮尺と、移動予定経路の全体が表示可能となる地図の縮尺である終了縮尺とを取得し、表示部に表示される地図の位置が開始位置から終了位置まで徐々に移動する移動期間において、表示部に表示される地図の縮尺を開始縮尺から終了縮尺まで徐々に変化させる。
【手続補正２】
【補正対象書類名】明細書
【補正対象項目名】０００６
【補正方法】変更
【補正の内容】
【０００６】
前記の目的を達成するため、本発明の地図表示プログラムは、コンピュータを、表示部に表示された地図上にて指定された目的地を取得する目的地取得部、目的地が指定された際の地図の位置である開始位置と、出発地から目的地までを接続する移動予定経路の全体が表示可能となる地図の位置である終了位置とを取得する位置取得部、表示部に表示される地図の位置が開始位置から終了位置まで徐々に移動するように表示部を制御する表示制御部、として機能させる。さらに、表示制御部は、目的地が指定された際の地図の縮尺である開始縮尺と、移動予定経路の全体が表示可能となる地図の縮尺である終了縮尺とを取得し、表示部に表示される地図の位置が開始位置から終了位置まで徐々に移動する移動期間において、表示部に表示される地図の縮尺を開始縮尺から終了縮尺まで徐々に変化させる。
【手続補正３】
【補正対象書類名】明細書
【補正対象項目名】０００７
【補正方法】変更
【補正の内容】
【０００７】
前記の構成において、開始位置は、目的地が指定された際の地図の位置であるため、目的地が表示される地図の位置であると言える。このような開始位置から、移動予定経路の全体が表示される地図の位置である終了位置まで地図が徐々に移動するため、目的地と移動予定経路の全体との位置関係を把握しやすくすることができる。すなわち、目的地が表示される状態から出発地を含む移動予定経路の全体が表示される状態へと地図を徐々に移動させるため、目的地から移動予定経路を遡っていくような視覚的効果によって目的地と移動予定経路の全体との位置関係を把握しやすくすることができる。また、移動予定経路には当該移動予定経路の始点である出発地も含まれるため、目的地と出発地との位置関係を把握しやすくすることができる。さらに、表示部に表示される地図の縮尺を開始縮尺から終了縮尺まで徐々に変化させることにより、急激な地図の縮尺の変化を抑制することができ、地図の位置の移り変わりを容易に認識することができる。
【手続補正４】
【補正対象書類名】明細書
【補正対象項目名】００３３
【補正方法】変更
【補正の内容】
【００３３】
以上説明した本実施形態の構成において、開始位置ＰＩは、目的地Ｇが指定された際の開始地図ＭＩの基準位置Ｐであるため、目的地Ｇが表示される地図Ｍの位置であると言える。このような開始位置ＰＩから、移動予定経路Ｙの全体が表示される終了地図ＭＥの位置である終了位置ＰＥまで地図Ｍが徐々に移動するため、目的地Ｇと移動予定経路Ｙの全体との位置関係を把握しやすくすることができる。すなわち、目的地Ｇが表示される状態から出発地Ｓを含む移動予定経路Ｙの全体が表示される状態へと地図Ｍを徐々に移動させるため、目的地Ｇから移動予定経路Ｙを遡っていくような視覚的効果によって目的地Ｇと移動予定経路Ｙの全体との位置関係を把握しやすくすることができる。移動予定経路Ｙの全体には当該移動予定経路Ｙの始点である出発地Ｓも含まれるため、目的地Ｇと出発地Ｓとの位置関係を把握しやすくすることができる。
【手続補正５】
【補正対象書類名】明細書
【補正対象項目名】００６４
【補正方法】変更
【補正の内容】
【００６４】
さらに、表示制御部は、目的地が指定された際の地図の縮尺である開始縮尺と、移動予定経路の全体が表示可能となる地図の縮尺である終了縮尺とを取得し、表示部に表示される地図の位置が開始位置から終了位置まで徐々に移動する移動期間において、表示部に表示される地図の縮尺を開始縮尺から終了縮尺まで徐々に変化させてもよい。これにより、急激な地図の縮尺の変化を抑制することができ、地図の位置の移り変わりを容易に認識することができる。なお、地図の縮尺の変化が急である場合には、地図の位置の移動が急でなくても、地図の位置の移り変わりを容易に認識できなくなる可能性が大きくなる。
【手続補正６】
【補正対象書類名】特許請求の範囲
【補正対象項目名】全文
【補正方法】変更
【補正の内容】
【特許請求の範囲】
【請求項１】
表示部に表示された地図上にて指定された目的地を取得する目的地取得部と、
前記目的地が指定された際の前記地図の位置である開始位置と、出発地から前記目的地までを接続する移動予定経路の全体が表示可能となる前記地図の位置である終了位置とを取得する位置取得部と、
前記表示部に表示される前記地図の位置が前記開始位置から前記終了位置まで徐々に移動するように前記表示部を制御するとともに、
前記目的地が指定された際の前記地図の縮尺である開始縮尺と、前記移動予定経路の全体が表示可能となる前記地図の縮尺である終了縮尺とを取得し、
前記表示部に表示される前記地図の位置が前記開始位置から前記終了位置まで徐々に移動する移動期間において、前記表示部に表示される前記地図の縮尺を前記開始縮尺から前記終了縮尺まで徐々に変化させる表示制御部と、
を備える地図表示システム。
【請求項２】
前記表示制御部は、前記表示部に表示される前記地図の位置が前記開始位置から前記終了位置まで徐々に移動する移動期間の長さを、前記開始位置から前記終了位置までの距離が大きいほど長くなるように設定する、
請求項１に記載の地図表示システム。
【請求項３】
前記表示制御部は、前記表示部に表示される前記地図の位置が前記開始位置から前記終了位置まで徐々に移動する移動期間のうちの最初の部分において、前記地図が移動する速度を徐々に大きくする、
請求項１または請求項２のいずれかに記載の地図表示システム。
【請求項４】
前記表示制御部は、前記表示部に表示される前記地図の位置が前記開始位置から前記終了位置まで徐々に移動する移動期間のうちの最後の部分において、前記地図が移動する速度を徐々に小さくする、
請求項１から請求項３のいずれか一項に記載の地図表示システム。
【請求項５】
前記表示制御部は、前記表示部に表示される前記地図の位置が前記開始位置から前記終了位置まで徐々に移動する移動期間の長さを、前記開始縮尺と前記終了縮尺との差が大きいほど長くなるように設定する、
請求項１から請求項４のいずれか一項に記載の地図表示システム。
【請求項６】
前記表示制御部は、前記表示部に表示される前記地図の位置が前記開始位置から前記終了位置まで徐々に移動する移動期間のうちの最初の部分において、前記地図の縮尺が変化する速度を徐々に大きくする、
請求項１から請求項５のいずれか一項に記載の地図表示システム。
【請求項７】
前記表示制御部は、前記表示部に表示される前記地図の位置が、前記開始位置から前記終了位置まで徐々に移動する移動期間のうちの最後の部分において、前記地図の縮尺が変化する速度を徐々に小さくする、
請求項１から請求項６のいずれか一項に記載の地図表示システム。
【請求項８】
コンピュータを、
表示部に表示された地図上にて指定された目的地を取得する目的地取得部、
前記目的地が指定された際の前記地図の位置である開始位置と、出発地から前記目的地までを接続する移動予定経路の全体が表示可能となる前記地図の位置である終了位置とを取得する位置取得部、
前記表示部に表示される前記地図の位置が前記開始位置から前記終了位置まで徐々に移動するように前記表示部を制御するとともに、
前記目的地が指定された際の前記地図の縮尺である開始縮尺と、前記移動予定経路の全体が表示可能となる前記地図の縮尺である終了縮尺とを取得し、
前記表示部に表示される前記地図の位置が前記開始位置から前記終了位置まで徐々に移動する移動期間において、前記表示部に表示される前記地図の縮尺を前記開始縮尺から前記終了縮尺まで徐々に変化させる表示制御部、
として機能させる地図表示プログラム。